(57)【要約】【課題】断熱パネル取付工事後において、真空断熱材や非真空断熱材を避けて、手摺やカウンター、絵画等の固定対象物を固定するための固定具の位置決めが可能な断熱パネルを提供する。【解決手段】断熱パネル１（１Ａ）は、板状の真空断熱材２と、真空断熱材２の四周２ｃに配設された非真空断熱材３と、真空断熱材２及び非真空断熱材３の前面２ａ、３ａ側に配設された表面材４とを備える。表面材４の後面４ｂには、真空断熱材２が設けられた部位に真空断熱材２を覆うように強磁性体６が設けられるとともに、真空断熱材２が設けられていない部位に固定具７が挿通可能な下地部材５が設けられている。【選択図】図１
2017198230.tif 000002
【特許請求の範囲】
【請求項１】
板状の真空断熱材と、該真空断熱材の四周に配設された非真空断熱材と、前記真空断熱材及び前記非真空断熱材の前面側に配設された表面材とを備えた断熱パネルであって、
前記表面材の後面には、前記真空断熱材が設けられた部位に前記真空断熱材を覆うように強磁性体が設けられるとともに、前記真空断熱材が設けられていない部位に固定具が挿通可能な下地部材が設けられていることを特徴とする断熱パネル。
【請求項２】
板状の真空断熱材と、該真空断熱材の四周に配設された非真空断熱材と、前記真空断熱材及び前記非真空断熱材の前面側に配設された表面材とを備えた断熱パネルであって、
前記表面材の後面には、前記非真空断熱材が設けられた部位に前記非真空断熱材を覆うように強磁性体が設けられており、前記強磁性体は、固定具が挿通可能な下地部材であることを特徴とする断熱パネル。
【発明の詳細な説明】
【技術分野】
【０００１】
本発明は、真空断熱材を備えた断熱パネルに関する。
【背景技術】
【０００２】
従来より、真空断熱材と発泡性断熱材とを備えた断熱パネルが知られている。例えば下記特許文献１及び下記特許文献２には、表面材、裏面材及び枠材を有し、表面材の略中央の位置に板状の真空断熱材を配し、その四周とその裏面に発泡性断熱材が設けられた断熱パネルが開示されている。
【先行技術文献】
【特許文献】
【０００３】
【特許文献１】特開２０１３−０８３３８８号公報
【特許文献２】特開２０１３−２２１２５７号公報
【発明の概要】
【発明が解決しようとする課題】
【０００４】
ところで上記特許文献１及び上記特許文献２に示すような断熱パネルは、断熱材が配されている部位に手摺やカウンター、絵画等を固定するためのネジや釘等の固定具を挿通させるには、固定具を保持する保持力が足りないため、別途下地部材を設ける必要があった。また真空断熱材に固定具を誤って挿通させてしまうと断熱性能が低下する恐れがあった。
【０００５】
またこのような断熱パネルにおいて、真空断熱材等を囲う枠材を固定具が挿通可能な枠材とする場合がある。しかしこの場合は、表面材側から見て枠材がどこにあるのか判別し難い点が問題となる。そこで、枠材の位置を判別するため、壁を叩いて音の反響や感触で枠材の位置を探る等の手段がとられることもあるが、この場合は、その判断を誤ると枠材ではなく真空断熱材や発泡性断熱材に固定具を挿通してしまう可能性がある。
【０００６】
さらに固定具を取り付け可能な枠材が断熱パネルのどの位置にあるのかが分かるように表面材に表示することも考えられるが、表面材の表面に枠材がある位置を表示するため、そのまま表面材を使用すると美観を損ねる。また、このような表面材に壁紙等を貼ってしまうと表示自体が見えなくなってしまう。
【０００７】
本発明は、上記の点を鑑みて提案されたものであり、その目的は、断熱パネル取付工事後において、真空断熱材や非真空断熱材を避けて、手摺やカウンター、絵画等の固定対象物を固定するための固定具の位置決めが可能な断熱パネルを提供することにある。
【課題を解決するための手段】
【０００８】
上記目的を達成するために、本発明に係る第１の断熱パネルは、板状の真空断熱材と、該真空断熱材の四周に配設された非真空断熱材と、前記真空断熱材及び前記非真空断熱材の前面側に配設された表面材とを備えた断熱パネルである。前記表面材の後面には、前記真空断熱材が設けられた部位に前記真空断熱材を覆うように強磁性体が設けられるとともに、前記真空断熱材が設けられていない部位に固定具が挿通可能な下地部材が設けられていることを特徴とする。
【０００９】
上記目的を達成するために、本発明に係る第２の断熱パネルは、板状の真空断熱材と、該真空断熱材の四周に配設された非真空断熱材と、前記真空断熱材及び前記非真空断熱材の前面側に配設された表面材とを備えた断熱パネルである。前記表面材の後面には、前記非真空断熱材が設けられている部位に前記非真空断熱材を覆うように強磁性体が設けられており、前記強磁性体は、固定具が挿通可能な下地部材であることを特徴とする。
【発明の効果】
【００１０】
本発明に係る断熱パネルは、上述の構成になっているため、断熱パネル取付工事後において、真空断熱材や非真空断熱材を避けて、手摺やカウンター、絵画等の固定対象物を固定するための固定具の位置決めが可能となる。
【図面の簡単な説明】
【００１１】
【図１】（ａ）は、本発明の一実施形態に係る断熱パネル（第１の断熱パネル）を示した模式的正面図である。（ｂ）は（ａ）におけるＡ−Ａ線矢視に対応させた概略断面図、（ｃ）は（ａ）におけるＢ−Ｂ線矢視に対応させた概略断面図である。
【図２】（ａ）は、本発明の他の実施形態に係る断熱パネル（第２の断熱パネル）を示した模式的正面図である。（ｂ）は（ａ）におけるＣ−Ｃ線矢視に対応させた概略断面図、（ｃ）は（ａ）におけるＤ−Ｄ線矢視に対応させた概略断面図である。
【発明を実施するための形態】
【００１２】
以下に、本発明の実施形態に係る断熱パネルについて、説明をする。なお、以下の実施形態では、断熱パネルが固定対象物と対向する方向を前方、その逆側を後方としている。
本実施形態の断熱パネル１（１Ａ，１Ｂ）は、建物内の床や壁、天井等に使用する矩形の平板状のものである。断熱パネル１に配される真空断熱材２や非真空断熱材３により、建物の内外を遮熱し、室温を一定に保つ効果がある。また、使用する非真空断熱材３によっては、断熱パネル１は防音性や耐火性等の副次機能を有する。
【００１３】
まずは本発明の実施形態に係る第１の断熱パネル１Ａについて、説明をする。
断熱パネル１Ａは、板状の真空断熱材２と、真空断熱材２の四周２ｃに配設された非真空断熱材３と、真空断熱材２及び非真空断熱材３の前面２ａ、３ａ側に配設された表面材４とを備える。表面材４の後面４ｂには、真空断熱材２が設けられた部位に真空断熱材２を覆うように強磁性体６が設けられるとともに、真空断熱材２が設けられていない部位に固定具７が挿通可能な下地部材５が設けられている。
【００１４】
真空断熱材２としては、例えば芯材をガスバリア性の包装材で外装して真空吸引することにより形成されたものとすることができる。真空断熱材２の厚さ寸法は１ｍｍ〜１０ｍｍ程度の矩形の平板状とされるが、これに限定されることはない。図中、真空断熱材２の前面を２ａ、後面を２ｂ、四周を２ｃとする。図１（ａ）では、真空断熱材２の前面２ａに強磁性体６が配されているため、真空断熱材２の四周２ｃに配されている非真空断熱材３が図示できないが、非真空断熱材３は真空断熱材２の四周２ｃを取り囲むように配されている。また図１（ｂ）及び図１（ｃ）に示すように真空断熱材２の四周２ｃだけでなく、真空断熱材２の後面２ｂにも非真空断熱材３が配されている。
【００１５】
非真空断熱材３としては、真空断熱材でない断熱材であればよく、例えば発泡性断熱材や繊維系断熱材等が使用される。発泡性断熱材としては、ウレタンフォームやビーズ法ポリスチレンフォーム等が挙げられる。繊維系断熱材としては、グラスウールやセルローズファイバー等が挙げられる。硬質ウレタンフォームは、微小な気泡を有して形成されており、耐久性にすぐれた性質を有している。ビーズ法ポリスチレンフォームは、ビーズ状のポリスチレンを発泡させて金型成形されており、耐水性や軽量等の性質を有している。またグラスウールは、ガラス繊維で形成されており、防音性や耐火性等にすぐれた性質を有している。セルローズファイバーは、木質繊維で形成されており、調湿性にすぐれた性質を有している。なお、非真空断熱材３は、これらに限定されるものではない。図中、非真空断熱材３の前面を３ａ、後面を３ｂとする。
【００１６】
表面材４としては、例えば石膏ボードや樹脂、木材等で形成された矩形の平板状のものが使用される。表面材４は、真空断熱材２及び非真空断熱材３の前面２ａ、３ａ側に配設されるとともに、図１（ａ）に示すように強磁性体６及び下地部材５の前面６ａ，５ａを覆うように配設され、断熱パネル１Ａの前面を構成している。表面材４の厚さ寸法は５ｍｍ〜１０ｍｍ程度とされるが、これに限定されるものではない。表面材４は、磁性を有さない材質で、且つ、強磁性体６の磁場を絶縁しない材質や厚さ寸法を備えていればよい。図中、表面材４の前面を４ａ、後面を４ｂとする。
【００１７】
下地部材５は、真空断熱材２が設けられていない部位に設けられ、断熱パネル１Ａの前方から挿通される固定具７（図１（ｃ）参照）を固定可能に保持する保持力を有し、例えば木質系材料からなる角棒材が好適に用いられる。なお、下地部材５は、これに限定されることはなく、たとえば、角棒状に形成された樹脂でもよく、後述する図２の断熱パネル１Ｂのように、１枚の平板状に形成されたものでもよい。下地部材５は、磁性反応を有さない材質で、且つ、上述のとおり固定具７を保持できる強度を有していればよい。図中、下地部材５の前面を５ａ、後面を５ｂとする。
【００１８】
強磁性体６は、真空断熱材２が設けられた部位に真空断熱材２を覆うように設けられ、例えば、厚さ寸法は０．５ｍｍ程度の矩形の鉄板が好適に用いられる。強磁性体６としては、表面材４を介して磁石に磁性反応を起こさせるものであれば、材質や寸法等はこれに限定されるものではない。強磁性体６は、図1（ａ）〜（ｃ）に示すように真空断熱材２の前面２ａ全体を完全に覆い、下地部材５が配設されている部位以外に固定具７が打ちこまれることがないように配設される。図中、強磁性体６の前面を６ａ、後面を６ｂとする。
【００１９】
次に、断熱パネル１Ａの構成部材の配置態様について更に詳しく説明をする。
断熱パネル１Ａは、概略的には前面に表面材４、後面に非真空断熱材３が配されてなり、１枚の断熱パネル１Ａに複数枚（図例では４枚）の真空断熱材２が配設されている。下地部材５は、表面材４の後面４ｂに設けられている。図１（ａ）に示すように、断熱パネル１Ａの上下部位及び略中央部位に複数本（図例では３本）の下地部材５が横方向に配設されている。さらに、真空断熱材２を挟んで縦方向に複数本（図例では計６本）の下地部材５が配設されている。下地部材５の配置態様は図例に限定されないが、本実施形態の場合は、下地部材５が配設されている位置に固定具７を挿通させることができるので、真空断熱材２を避けるように下地部材５が配設されている領域が広い方が望ましい。
【００２０】
強磁性体６は、図１（ａ）に示すように、下地部材５に被さることがないように下地部材５，５間に設けられ、且つ、図１（ｂ）（ｃ）に示すように、表面材４の後面４ｂに設けられている。これにより、表面材４の後面４ｂに、強磁性体６もしくは下地部材５が設けられているので、表面材４の前面４ａに磁石をあて、磁性反応がなかった部位には下地部材５があると判別することができる。すなわち、強磁性体６が下地部材５以外の部材を覆うように表面材４との間に設けられているので、磁石をあてて磁性反応があった箇所を避けて固定具７を挿通させれば、下地部材５が設けられているはずであり、固定具７の挿通位置の位置決めが容易にできる。
【００２１】
真空断熱材２は、強磁性体６の後面６ｂに設けられる。これにより、真空断熱材２の前面２ａは強磁性体６で覆われた状態とすることができる。非真空断熱材３は、真空断熱材２の四周２ｃ及び後面２ｂ、強磁性体６及び下地部材５が配設されている部位以外に設けられている。
なお、このような構成の断熱パネル１Ａは、図示していないが、その四周を木材などの枠材で囲んでもよいし、断熱パネル１Ａの後面は、木材等の矩形の平板状の裏面材や、アルミニウムや紙等のシート材で覆うようにしてもよい。
【００２２】
次に断熱パネル１Ａに固定対象物８を固定する要領について説明する。
なお、固定対象物８が固定される前に、表面材４の前面４ａに壁紙等が貼り付けられていてもよい。また、本実施形態において、固定対象物８は、キッチンカウンター等を設けるためのＬ字型金具とするが、手摺や絵画等、図例に限定されるものではない。
【００２３】
まず断熱パネル１Ａの前面、つまり表面材４の前面４ａに磁石をあてる。前面４ａに壁紙等が貼り付けされている場合は、壁紙等の上から磁石をあてる。磁石は、断熱パネル１Ａに設けられた強磁性体６が設置している箇所に引き寄せられ磁性反応を示す。強磁性体６は、真空断熱材２の前面２ａを覆うように下地部材５が設けられていない部位に配されている。そのため、磁石は下地部材５が設けられている部位には引き寄せられないので、磁性反応が起きない部位に下地部材５が設けられていると判別できる。
【００２４】
これにより、作業員等は真空断熱材２や非真空断熱材３を避けて固定対象物８を下地部材５の上の適所に配置して固定対象物８を固定するための固定具７を下地部材５に向けて打ち込むことができる。よって、断熱パネル１Ａの取付工事後において、固定対象物８を固定するための固定具７が挿通できる下地部材５の設置位置を容易に判別することができ、固定具７の位置決めが容易となる。また固定具７の誤挿通による真空断熱材２の破損を防ぐことができ、固定具保持力を有した断熱パネル１Ａとすることができる。また表面材４に下地部材５の位置を示す目印等を付す必要がないので、見栄えのよい断熱パネル１Ａとすることができる。さらに断熱パネル１Ａに下地部材５が設けられているので、別途固定対象物８を固定するための下地部材を設ける必要がない。
【００２５】
ついで、本発明の実施形態に係る第２の断熱パネル１Ｂについて説明をする。
なお、上述の実施形態と共通部分には同一の符号を付し、共通する作用・効果等の説明は割愛する。
断熱パネル１Ｂは、板状の真空断熱材２と、真空断熱材２の四周２ｃに配設された非真空断熱材３と、真空断熱材２及び非真空断熱材３の前面２ａ、３ａ側に配設された表面材４とを備える。表面材４の後面４ｂには、非真空断熱材３が設けられている部位に非真空断熱材３を覆うように強磁性体６が設けられており、強磁性体６は、固定具が挿通可能な下地部材とされる。
【００２６】
強磁性体６は、非真空断熱材３が設けられた部位に非真空断熱材３を覆うように設けられ、例えば、厚さ寸法は２ｍｍ〜３ｍｍ程度の矩形の鉄板が好適に用いられる。強磁性体６は、断熱パネル１Ｂの下地部材として、断熱パネル１Ｂの前方から挿通される固定具７（図２（ｃ）参照）を固定可能に保持する保持力を有する。強磁性体６は、図２（ａ）〜（ｃ）に示すように真空断熱材２が設けられた部位に真空断熱材２を覆わないように、真空断熱材２よりひとまわり程度大きい矩形状の孔（６ｃ）が形成されている。なお、強磁性体６は、これに限定されることはなく、表面材４を介して磁石に磁性反応を起こさせ、且つ、上述のとおり固定具７を保持できる強度を有していればよい。図中、強磁性体６の前面を６ａ、後面を６ｂとし、強磁性体６に形成された真空断熱材２よりひとまわり程度大きい孔の四辺を６ｃとする。
その他、本実施形態に係る断熱パネル１Ｂにおいては、上述する断熱パネル１Ａと共通の真空断熱材２、非真空断熱材３、表面材４を用いることができる。
【００２７】
次に、断熱パネル１Ｂの構成部材の配置態様について更に詳しく説明をする。
断熱パネル１Ｂは、概略的には前面に表面材４、後面に非真空断熱材３が配されてなり、１枚の断熱パネル１Ｂに複数枚（図例では４枚）の真空断熱材２が配設されている。
強磁性体６は、図２（ａ）に示すように、真空断熱材２に被さることがないように、真空断熱材２が設けられる位置に四辺６ｃ，６ｃ・・・で形成される孔（図例では４つ）が形成され、且つ、図２（ｂ）（ｃ）に示すように、表面材４の後面４ｂに設けられている。設けられており、表面材４の後面４ｂには、真空断熱材２もしくは強磁性体６が設けられているので、表面材４の前面４ａに磁石をあて、磁性反応があった箇所に、固定具が挿通可能な下地部材である強磁性体６があると判別できる。すなわち、強磁性体６が、真空断熱材２以外の部材を覆うように表面材４との間に設けられているので、磁石をあてて磁性反応がなかった箇所を避けて、言い換えれば磁性反応があった箇所に固定具７を挿通させれば、強磁性体６が設けられているはずである。これにより、固定具７の挿通位置の位置決めが容易にできる。強磁性体６の配置態様は図例に限定されないが、本実施形態の場合は、強磁性体６が配設されている位置に固定具７を挿通させることができるので、真空断熱材２を避けるように強磁性体６が配設されている領域が広い方が望ましい。
【００２８】
真空断熱材２は、表面材４の後面４ｂに設けられ非真空断熱材３は、真空断熱材２の四周２ｃ及び後面２ｂ、強磁性体６が配設されている部位以外に設けられている。
なお、このような構成の断熱パネル１Ｂも、断熱パネル１Ａ同様に、その四周を木材などの枠材で囲んでもよいし、断熱パネル１Ａの後面は、木材等の矩形の平板状の裏面材や、アルミニウムや紙等のシート材で覆うようにしてもよい。
【００２９】
次に断熱パネル１Ｂに固定対象物８を固定する要領について説明をする。
まず断熱パネル１Ｂの前面、つまり表面材４の前面４ａに磁石をあてる。前面４ａに壁紙等が貼り付けされている場合は、壁紙等の上から磁石をあてる。強磁性体６は、非真空断熱材３の前面３ａを覆うように真空断熱材２が設けられていない部位に配される。そのため、磁石は真空断熱材２が設けられている部位に引き寄せられないので、磁性反応が起きる部位に、断熱パネル１Ｂとしての下地部材である強磁性体６が設けられていると判別できる。
【００３０】
これにより、作業員等は真空断熱材２を避けて固定対象物８を表面材４の上の適所に配置して固定対象物８を固定するための固定具７を強磁性体６に向けて打ち込むことができる。よって、断熱パネル１Ｂの取付工事後において、固定対象物８を固定するための固定具７を挿通できる強磁性体６の設置位置を容易に判別することができ、固定具７の位置決めが可能となる。また断熱パネル１Ｂに固定具７を保持する強度を有する強磁性体６が設けられているので、別途固定対象物８を固定するための下地部材を設ける必要がない。
【００３１】
なお、本実施形態における断熱パネル１（１Ａ、１Ｂ）、真空断熱材２、非真空断熱材３、表面材４、下地部材５、強磁性体６の形状、構成は図例に限定されるものではない。また各部材の寸法は例示であり、固定手段、固定要領、施工手順等が限定されることはない。
【符号の説明】
【００３２】
１，１Ａ，１Ｂ      断熱パネル
２      真空断熱材
２ｃ    （真空断熱材の）四周
３      非真空断熱材
３ａ    （非真空断熱材の）前面
４      表面材
４ｂ    （表面材の）後面
５      下地部材
６      強磁性体
７      固定具
【図１】
2017198230.tif 000003
【図２】
2017198230.tif 000004